(57)【特許請求の範囲】
【請求項１】
合成樹脂発泡板の上端面に、白アリの分泌物に耐性の耐腐食性材料で構成されたシート材を介して更に合成樹脂発泡板の下端面を取付けた防蟻用断熱板であって、
前記シート材が複数のアンカー孔を有することを特徴とする防蟻用断熱板。
【請求項２】
前記シート材の縁部の少なくとも一部が合成樹脂発泡板から突出していることを特徴とする請求項１記載の防蟻用断熱板。
【請求項３】
前記シート材が可撓性を有することを特徴とする請求項１又は２記載の防蟻用断熱板。
【請求項４】
前記アンカー孔が、前記白アリの頭部横断面の最大寸法の３倍以下の寸法であると共に、前記シート材に、少なくともセメントと細骨材とを含有する表面材が塗布されていることを特徴とする請求項１乃至３のいずれか記載の防蟻用断熱板。
【請求項５】
前記表面材にポリマーを添加したことを特徴とする請求項４記載の防蟻用断熱板。
【請求項６】
前記表面材に白アリ忌避剤を添加したことを特徴とする請求項４又は５記載の防蟻用断熱板。
【請求項７】
前記アンカー孔が、前記白アリの頭部横断面の最大寸法の２倍以下の寸法であることを特徴とする請求項１乃至６のいずれか記載の防蟻用断熱板。
【請求項８】
前記シート材がメッシュ状部材からなることを特徴とする請求項４乃至７のいずれか記載の防蟻用断熱板。
【請求項９】
前記合成樹脂発泡板にシート材が熱溶着され、合成樹脂発泡板のこの熱溶着部分が樹脂化してスキン層が形成されていると共に、このスキン層が前記アンカー孔内でそれぞれ外側に膨出していることを特徴とする請求項１乃至８のいずれか記載の防蟻用断熱板。
【請求項１０】
前記シート材が少なくとも約７０のショア硬度を有することを特徴とする請求項１乃至９のいずれか記載の防蟻用断熱板。
【発明の詳細な説明】
【０００１】
【発明の属する技術分野】
この発明は、断熱基礎や断熱土間床等に使用される断熱板の内部を白アリが通過して建物の軸組や床組等へ侵入するのを防止するための防蟻用断熱板及びその製造方法に関する。
【０００２】
【従来の技術】
従来のこの種の技術としては、例えば、実公平６−４０７２８号公報に開示されているように、合成樹脂発泡体を芯材とし、該芯材の表裏面を面材で被覆すると共に、少なくとも一端面を防虫網で被覆した断熱板等が知られている。
【０００３】
【発明が解決しようとする課題】
しかしながら、上記のような従来の断熱板においては、面材に加えて防虫網も使用して芯材を被覆するので、コストダウンを図りにくいという問題点がある。
【０００４】
この発明は、以上のような問題点に鑑みてなされたものであり、コストダウンを図ることができる防蟻用断熱板及びその製造方法を提供することを目的とする。
【００１１】
【課題を解決するための手段】
上記目的を達成するために、請求項１の手段とするところは、合成樹脂発泡板の上端面に、白アリの分泌物に耐性の耐腐食性材料で構成されたシート材を介して更に合成樹脂発泡板の下端面を取付けたであって、前記シート材が複数のアンカー孔を有することにある。
【００１２】
請求項２の手段とするところは、前記シート材の縁部の少なくとも一部が合成樹脂発泡板から突出していることにある。
【００１４】
請求項３の手段とするところは、前記シート材が可撓性を有することにある。
【００１６】
請求項４の手段とするところは、前記アンカー孔が、前記白アリの頭部横断面の最大寸法の３倍以下の寸法であると共に、前記シート材に、少なくともセメントと細骨材とを含有する表面材が塗布されていることにある。
【００１７】
請求項５の手段とするところは、前記表面材にポリマーを添加したことにある。
【００１８】
請求項６の手段とするところは、前記表面材に白アリ忌避剤を添加したことにある。
【００１９】
請求項７の手段とするところは、前記アンカー孔が、前記白アリの頭部横断面の最大寸法の２倍以下の寸法であることにある。
【００２０】
請求項８の手段とするところは、前記シート材がメッシュ状部材からなることにある。
【００２１】
請求項９の手段とするところは、前記合成樹脂発泡板にシート材が熱溶着され、合成樹脂発泡板のこの熱溶着部分が樹脂化してスキン層が形成されていると共に、このスキン層が前記アンカー孔内でそれぞれ外側に膨出していることにある。
【００２２】
請求項１０の手段とするところは、前記シート材が少なくとも約７０のショア硬度を有することにある。
【００２５】
【発明の実施の形態】
以下、この発明の実施形態を図面に基づいて説明する。
図１乃至図３に示すように、第１実施形態に係る防蟻用断熱板１は、例えば、矩形板状に形成された合成樹脂発泡板２の一側面２ａ全体を、白アリ３の分泌物に耐性の耐腐食性材料であるステンレスで構成され且つ複数の編み目（アンカー孔）４を有するメッシュ状部材であるステンレスメッシュ（シート材）５で被覆したものである。
【００２６】
前記合成樹脂発泡板２は、例えば、幅１８０ｃｍ、高さ６０ｃｍ、厚さ５ｃｍ程度その他の大きさに形成され、その材質としては、発泡ポリプロピレン、発泡ポリエチレン等に代表される発泡ポリオレフィンの他、発泡スチロール、発泡ポリウレタン、発泡ポリ塩化ビニル等の各種の合成樹脂の発泡板が挙げられる。
【００２７】
前記白アリ３とは、ゴキブリに近縁の社会生活をする不完全変態の昆虫であって、シロアリ目（等翅類）Isopteraの総称である。このような白アリ３としては、例えば、ヤマトシロアリやイエシロアリ等の各種の白アリが挙げられる。また、この白アリ３は、図３に示すように、非変形性の堅い頭部３ａを有する一方、頭部３ａより横断面の最大寸法が少し大きいと共に、比較的柔らかくて弱い体部３ｂを有している。
【００２８】
前記ステンレスメッシュ５は、図２に示すように、例えば、白アリ３の分泌物に耐性で且つ少なくとも約７０のショア硬度を有する耐腐食性材料であるステンレス鋼ワイヤー５ｂから製織されて可撓性を有している。
【００２９】
なお、耐腐食性材料としては、ステンレスに限定されるものではなく、白アリ３から放出されるギ酸等の分泌物に耐性で且つ白アリ３が噛み砕くことができない硬さを有すると共に、使用環境下で数十年の耐用年数を有するものであれば、セラミックス、ガラス、合成樹脂、金属等の各種の材料を使用することができる。ここで、この実施形態のように、ステンレスメッシュ５等のシート材が少なくとも約７０のショア硬度を有する場合には、白アリ３は確実にこのシート材を噛み砕くことができないので、白アリ３の侵入をより効果的に防止できるという利点がある。
【００３０】
また、メッシュ状部材としては、この実施形態のようなステンレスメッシュ５の他、例えばセラミックス、ガラス、合成樹脂、金属等の繊維、フィラメント、ストランド等から製織又は製編されたメッシュや、あるいは不織布等が挙げられる。
【００３１】
更に、複数のアンカー孔を有するシート材としては、上記のようなメッシュ状部材の他、図４に示すように、例えば複数の円状等のアンカー孔６を打ち抜いて形成したパンチングメタル７や、あるいは図５に示すように、複数のシャーリング溝８等を形成することによって設けた複数のアンカー孔９を有する金属シート１０等が挙げられる。
【００３２】
上記ように構成される合成樹脂発泡板２とステンレスメッシュ５は、部分的又は全面的に接着又は熱溶着して一体化される。このように、ステンレスメッシュ５等のシート材だけで合成樹脂発泡板２を被覆するので、コストダウンを図ることができるという利点がある。また、合成樹脂発泡板２とシート材とをあらかじめ一体化しているので、施工の合理化を図ることができるという利点もある。
【００３３】
なお、図１に示すように、ステンレスメッシュ５の縁部５ａを合成樹脂発泡板２の例えば一端１１ａでは揃えると共に、他端１１ｂからは突出するように一体化しておけば、図６及び図７に示すように、例えば断熱基礎において布基礎１２の立ち上がり部１３の外側面１３ａ等に当該防蟻用断熱板１を横方向に並べて密着させる際に、突出する縁部５ａを、隣接する防蟻用断熱板１のステンレスメッシュ５等に重ね合わせることができる。この重合部分は、釘、ビス、ステープル等の止着部材で止着したり、必要に応じて更に接着セメント等で接着したりしておくのが望ましい。
【００３４】
当該防蟻用断熱板１をこのような断熱基礎に使用する場合には、布基礎１２を施工した後で防蟻用断熱板１を配置してもよいし、あるいは防蟻用断熱板１を配置してから立ち上がり部１３等を打設してもよい。
【００３５】
また、図１のようにステンレスメッシュ５の縁部５ａを合成樹脂発泡板２の上端１４ａ及び下端１４ｂからそれぞれ突出するように一体化しておけば、図７に示すように、合成樹脂発泡板２の上端１４ａから突出する縁部５ａは、防蟻用断熱板１の上方の断熱板１５を支持する受け材１６や土台１７等に釘１８等の止着部材で止着等することができる。合成樹脂発泡板２の下端１４ｂから突出する縁部５ａは、布基礎１２のベース部１９等に必要に応じて釘等の止着部材で固定したり、接着セメント２０やモルタル等で接着したりすることができる。
【００３６】
このように、ステンレスメッシュ５等の縁部５ａの少なくとも一部が合成樹脂発泡板２から突出するようにしておけば、防蟻用断熱板１の周囲に生じる隙間等を閉塞することができ、そのため白アリ３の侵入をより効果的に防止できるという利点がある。
【００３７】
更に、シート材が前記編み目４等の複数のアンカー孔を有する場合には、アンカー効果によりこれら合成樹脂発泡板２とシート材とをより強固に一体化できるという利点がある。
【００３８】
ここで、ステンレスメッシュ５等を合成樹脂発泡板２の一側面２ａ等に熱溶着する場合には、図８に示すように、合成樹脂発泡板２の熱溶着部分が樹脂化してスキン層が形成され、このスキン層が前記編み目４等のアンカー孔内でそれぞれ外側に膨出するようにするのが望ましい。このようにして熱溶着すれば、スキン層の補強作用により全体の強度が向上すると共に、必要に応じてシート材に塗布されるモルタル等を、スキン層の膨出部分のアンカー効果によってより強固に係止できるという利点がある。
【００３９】
なお、前記編み目４等のアンカー孔の寸法としては、少なくともいずれかの方向において、前記白アリ３の頭部３ａの横断面の最大寸法Ｈの２倍以下としておくのが望ましい。即ち、前記最大寸法Ｈは、例えばイエシロアリの職蟻で１．１〜１．２５ｍｍ程度、ヤマトシロアリの職蟻で１．０〜１．２ｍｍ程度であるので、ヤマトシロアリが生息する地域では、アンカー孔の寸法を少なくともいずれかの方向において２．４ｍｍ程度以下としておくのが望ましい。このアンカー孔の形状は特に限定されるものではなく、矩形状や円状等の適宜の形状とすることができる。要するに、アンカー孔の寸法が、いずれか一方向、あるいは２以上の方向において２Ｈ以下であればよい。
【００４０】
このように、アンカー孔の寸法が２Ｈ以下である場合には、白アリ３の柔らかい体部３ｂ等がアンカー孔に接触するような寸法であり、白アリ３がそれを嫌うので、シート材から合成樹脂発泡板２の内部へ白アリ３が侵入するのを防止することができる。また、アンカー孔の寸法を比較的大きくできるので、シート材の材料コストを低減化できると共に、寸法精度も低くてよいために製造も簡単であるという利点がある。
【００４１】
ここで、シート材がステンレスメッシュ５等のメッシュ状部材である場合には、その繊維、フィラメント、又はストランド等の数を少なくできるので、コストダウンをより効果的に図ることができるという利点がある。
【００４２】
更に、シート材がステンレスメッシュ５等のように可撓性を有する場合には、取扱い易いので、防蟻用断熱板１をより簡単に製造できるという利点がある。このような可撓性を有するシート材としては、メッシュ状部材の他、例えば合成樹脂や金属等の比較的薄いシート等が挙げられる。シート材が可撓性を有しない場合、合成樹脂発泡板２から突出する縁部５ａは、防蟻用断熱板１を施工しようとする箇所の形状に合わせてあらかじめ適宜の形状に形成等しておけばよい。
【００４３】
ここで、アンカー孔の寸法が２Ｈを超えるが３Ｈ以下である場合には、図９に示すように、合成樹脂発泡板２に熱溶着又は接着して一体化されるステンレスメッシュ５等に表面材２１を塗布しておけば、この表面材２１に含有されている細骨材等により白アリ３の侵入を防止することができる。アンカー孔の寸法が３Ｈを超える場合には、表面材２１を塗布しておいても白アリ３が侵入する可能性があるので好ましくない。なお、２Ｈ以下の場合でも、表面材２１を塗布しておいても差し支えない。
【００４４】
前記表面材２１は、少なくともセメントと細骨材とを含有しており、所定量の水を配合、混練した状態で塗布される。このような表面材２１としては、モルタルの他、例えば接着セメント等が挙げられる。前記セメントは従来公知の種々のものを使用でき、前記細骨材としては、例えば砂の他、ガラス粒子、ガラス短繊維、ガラスウィスカー等が挙げられる。
【００４５】
前記接着セメントは、セメントと砂等の細骨材とからなるセメント混合物に、例えばスチレンブタジエンゴム（ＳＢＲ）やポリビニル酢酸（ＰＶＡｃ）等の合成ポリマー等をベースとするセメント接着剤を添加したものである。前記セメント混合物としては、細骨材２〜３部に対してセメント１部程度の高いセメント含有量のものであることが望ましい。
【００４６】
また、このような接着セメントの他、例えば接着セメントよりはセメント含有量が低い、ポリマーセメントと細骨材との混合物等を使用することもできる。このように、表面材２１に前記セメント接着剤等のポリマーを添加した場合には、表面材２１の強度、耐クラック性、接着性、水密性、耐摩耗性等が向上するという利点がある。
【００４７】
更に、必要に応じて表面材２１に白アリ忌避剤を添加した場合には、この表面材２１が白アリ３によって噛み破られる可能性をより低下させることができるという利点がある。なお、白アリ忌避剤としては、例えば、亜鉛や銅、あるいは亜鉛化合物や銅化合物等が挙げられる。
【００４８】
なお、表面材２１は、合成樹脂発泡板２にシート材を接着又は熱溶着して一体化してから塗布してもよいし、あるいは合成樹脂発泡板２にこの表面材２１でシート材を接着してもよい。
【００４９】
表面材２１でシート材を接着する場合、前記細骨材としては、ステンレスメッシュ５等の合成樹脂発泡板２への接着をより効果的に行うために、前記編み目４等のアンカー孔を通過できる大きさのものが好ましい。また、表面材２１を後から塗布する場合も含め、細骨材の配合量は特に限定されるものではなく、表面材２１が白アリ３によって噛み破られないようにその大きさに応じて充分な量を配合しておけばよい。
【００５０】
次に、防蟻用断熱板１を熱溶着により連続的に製造する方法について説明する。
図１０及び図１１に示すように、この製造方法は、例えば、ロール状に巻回された状態から引き出される連続ステンレスメッシュ５を加熱しながら合成樹脂発泡板２の一側面２ａに押し付けて熱溶着した後、この熱溶着された連続ステンレスメッシュ５を前記合成樹脂発泡板２の一端１１ａ付近で切断することによって、前記防蟻用断熱板１を切り離すものである。
【００５１】
ここで、上記のように、ステンレスメッシュ５の縁部５ａを合成樹脂発泡板２の一端１１ａでは揃えると共に、他端１１ｂ、上端１４ａ、及び下端１４ｂからは突出するようにするには、図１１に示すように、連続ステンレスメッシュ５の幅を合成樹脂発泡板２の高さより大きく形成しておき、連続ステンレスメッシュ５の縁部５ａが合成樹脂発泡板２の上記の３辺から突出するように熱溶着した後、連続ステンレスメッシュ５を合成樹脂発泡板２の一端１１ａ付近で切断すればよい。
【００５２】
あるいは、図１２に示すように、発泡押出機２２等で合成樹脂発泡板２を連続的に押出成形し、この連続した合成樹脂発泡板２の一側面２ａに連続ステンレスメッシュ５を加熱しながら押し付けて熱溶着した後、この連続した防蟻用断熱板１を所定箇所で切り離すようにしてもよい。また、ステンレスメッシュ５の縁部５ａが合成樹脂発泡板２から突出するようにするために、必要に応じて合成樹脂発泡板２の所定箇所だけを切断してもよい。
【００５３】
これらの方法によれば、防蟻用断熱板１を連続的に大量生産することができ、そのためコストダウンを図り易いという利点がある。
【００５４】
次いで、防蟻用断熱板１の他の使用例について説明する。
図１３に示すように、防蟻用断熱板１は、前記布基礎１２の立ち上がり部１３の内側面１３ｂに密着させてもよいし、あるいは図１４に示すように、ステンレスメッシュ５等の上方の縁部５ａ近傍を接着又は熱溶着しないで白アリ返しとして折曲等しておいてもよい。
【００５５】
また、図１５に示すように、基礎スラブ２３と外周立ち上がり部２４とを備えたべた基礎２５の外側に密着させたり、あるいは図１６に示すように、外周部分が厚肉とされた基礎スラブ２６と外周立ち上がり部２７とを備えたべた基礎２８の外側に密着させたりしてもよい。この場合、防蟻用断熱板１を配置してから基礎スラブ２３，２６を打設する時には、ステンレスメッシュ５等の下方の縁部５ａを基礎スラブ２３，２６に一体化されるように内方へ巻き込んでおくのが望ましい。べた基礎２５，２８を施工してから防蟻用断熱板１を密着させる場合には、ステンレスメッシュ５等の下方の縁部５ａは、基礎スラブ２３，２６等に接着セメントやモルタル等で接着しておけばよい。
【００５６】
図１７に示すように、第２実施形態に係る防蟻用断熱板３１は、合成樹脂発泡板２の一側面２ａの下端１４ｂから所定高さまでの範囲をステンレスメッシュ５で被覆したものである。
【００５７】
即ち、図１８に示すように、防蟻用断熱板３１を前記布基礎１２の立ち上がり部１３の外側面１３ａに密着させる場合には、ステンレスメッシュ５等が地上の所定高さまであれば白アリ３はそれより上方へは登らないので、合成樹脂発泡板２の一側面２ａ全体を被覆しておかなくてもよい。
【００５８】
図１９及び図２０に示すように、第３実施形態に係る防蟻用断熱板４１は、合成樹脂発泡板２の一側面２ａ、上端面１４ｃ、他側面２ｂ、下端面１４ｄの４面をステンレスメッシュ５で被覆したものである。
【００５９】
この場合も、ステンレスメッシュ５等の縁部５ａを合成樹脂発泡板２の他端１１ｂから突出するようにしておき、この突出する縁部５ａを、隣接する防蟻用断熱板４１のステンレスメッシュ５に重合できるようにしておくのが望ましい。なお、重合しにくい場合には、縁部５ａの適当な位置に切り込み等を入れておいてもよい。
【００６０】
このように、合成樹脂発泡板２の４面をステンレスメッシュ５で被覆しておいてもよいが、防蟻用断熱板４１を前記立ち上がり部１３の外側面１３ａに密着させる場合には、第２実施形態のように、合成樹脂発泡板２の一側面２ａの下端１４ｂから所定高さまでの範囲だけを被覆しておいてコストダウンを図ってもよい。
【００６１】
図２１に示すように、第４実施形態に係る防蟻用断熱板５１は、第１実施形態において、ステンレスメッシュ５の縁部５ａが合成樹脂発泡板２の他端１１ｂと上端１４ａからのみ突出するように一体化したものである。
【００６２】
このように、縁部５ａを合成樹脂発泡板２の２辺から突出させておけば、図２２及び図２３に示すように、当該防蟻用断熱板５１を断熱土間床に使用する場合において、防蟻用断熱板５１を土間床５２の下方に縦横に敷設する場合等に好適である。なお、周縁に敷設される場合等、敷設箇所に応じて、第１実施形態のステンレスメッシュ５の縁部５ａが合成樹脂発泡板２の３辺から突出した防蟻用断熱板１や、４辺から突出したものも適宜に使用すればよい。
【００６３】
前記布基礎１２や、この布基礎１２の内方に設けられた布基礎５３等に接する防蟻用断熱板５１，１等のステンレスメッシュ５等の縁部５ａは、これら布基礎１２，５３や土間床５２等に接着セメント等で接着したり、あるいは土間床５２の打設時に一体化されるようにしたりしておけばよい。また、断熱基礎に使用される防蟻用断熱板１のステンレスメッシュ５等の上方の縁部５ａは、前記受け材１６や土台１７等に釘１８等で止着する他、図２３に示すように、布基礎１２と土台１７の間に介在する気密パッキン５４と布基礎１２との間に挟むように固定してもよい。
【００６４】
なお、以上の第１乃至第４実施形態において、図２４に示すように、合成樹脂発泡板２の他側面２ｂに複数のＶ字溝５５を互いに平行に所定間隔を開けて設けておけば、湾曲可能であるので、防蟻用断熱板１，３１，４１，５１を平面だけでなく、曲面にも使用できるという利点がある。
【００６５】
図２５に示すように、第５実施形態に係る防蟻用断熱板６１は、合成樹脂発泡板２の一側面２ａと下端面１４ｄの角部６２をステンレスメッシュ５で横断面Ｌ字状に被覆したものである。
【００６６】
この防蟻用断熱板６１は、図２６に示すように、基礎スラブ２３と外周立ち上がり部２４との間に打ち継ぎ部分６３を有するべた基礎２５等に使用することができる。即ち、この場合、前記角部６２を被覆したステンレスメッシュ５によって前記打ち継ぎ部分６３を閉塞するように防蟻用断熱板６１を密着させればよい。なお、ステンレスメッシュ５又は打ち継ぎ部分６３の内方には、あらかじめ接着セメント等を塗布しておいて、隙間なく接着されるようにするのが望ましい。
【００６７】
このように、前記角部６２をあらかじめステンレスメッシュ５等のシート材で被覆しておけば、シート材を別途取付ける場合に比べて施工の手間を省けるという利点がある。
【００６８】
なお、以上の第１乃至第５実施形態において、図２７に示すように、合成樹脂発泡板２の一端面１１ｃに所定形状の嵌合部６４を設けると共に、他端面１１ｄに、この合成樹脂発泡板２に隣接する合成樹脂発泡板２の一端面１１ｃに設けた嵌合部６４が嵌合される被嵌合部６５を設けておけば、隣接する防蟻用断熱板１，３１，４１，５１，６１同士の間の隙間が生じにくくなると共に、この防蟻用断熱板１，３１，４１，５１，６１を、布基礎１２を施工する際のコンクリート型枠等としても使用できるという利点がある。
【００６９】
図２８に示すように、第６実施形態に係る防蟻用断熱板７１は、合成樹脂発泡板２の全面２ａ，２ｂ，１４ｃ，１４ｄ，１１ｃ，１１ｄをステンレスメッシュ５で被覆したものである。
【００７０】
このように、合成樹脂発泡板２の全面２ａ，２ｂ，１４ｃ，１４ｄ，１１ｃ，１１ｄを被覆しておけば、白アリ３はどこからも合成樹脂発泡板２の内部へは侵入できないので、断熱基礎や断熱土間床の他、建物の壁や床等に施工される断熱板等、種々の用途に使用できるという利点がある。
【００７１】
図２９に示すように、第７実施形態に係る防蟻用断熱板８１は、第１実施形態において、ステンレスメッシュ５をその一側面２ａに一体化した合成樹脂発泡板２の厚さを薄く形成したものである。
【００７２】
この防蟻用断熱板８１は、図３０に示すように、断熱基礎等に使用することができ、この場合、前記布基礎１２の立ち上がり部１３の外側面１３ａ等にステンレスメッシュ５を外側に向けて密着させた後、薄く形成した合成樹脂発泡板２を取付けるか、あるいは薄く形成した合成樹脂発泡板２を密着させた後、ステンレスメッシュ５を内側に向けて防蟻用断熱板８１を取付ければよい。防蟻用断熱板８１と合成樹脂発泡板２とは、接着剤等で接着すればよい。
【００７３】
あるいは、図３１に示すように、上記の防蟻用断熱板８１と合成樹脂発泡板２とを、ステンレスメッシュ５を挟むようにして積層した防蟻用断熱板９１をあらかじめ用意しておけば、施工の手間を省けるという利点がある。
【００７４】
このような防蟻用断熱板９１を配置する際にステンレスメッシュ５等の縁部５ａが邪魔になる場合には、適当な位置に切り込み９２や切り欠き等を入れておけばよい。
【００７５】
図３２に示すように、第８実施形態に係る防蟻用断熱板１０１は、例えば、高さを低く形成した合成樹脂発泡板２の上端１４ａをステンレスメッシュ５で横断面コ字状に被覆したものである。
【００７６】
この防蟻用断熱板１０１は、図３３に示すように、断熱基礎等に使用することができ、この場合、前記布基礎１２の立ち上がり部１３の外側面１３ａ等にステンレスメッシュ５を上方に向けて密着させた後、低く形成した合成樹脂発泡板２を取付けるか、あるいは薄く形成した合成樹脂発泡板２を密着させた後、ステンレスメッシュ５を下方に向けて防蟻用断熱板１０１を取付ければよい。防蟻用断熱板１０１と合成樹脂発泡板２とは、接着剤等で接着すればよい。このように、上下２段の合成樹脂発泡板２の間にステンレスメッシュ５等のシート材が介在するようにしておけば、このシート材により白アリ３が上段の合成樹脂発泡板２の内部へ侵入するのを防止することができる。また、シート材だけで合成樹脂発泡板２を被覆しておくことによりコストダウンを図ることができると共に、あらかじめ一体化しておくことにより施工の合理化を図ることもできる。
【００７７】
あるいは、図３４に示すように、上記の防蟻用断熱板１０１と合成樹脂発泡板２とを、ステンレスメッシュ５を挟むようにして一体化した防蟻用断熱板１１１をあらかじめ用意しておけば、施工の手間を省けるという利点がある。
【００７８】
このような防蟻用断熱板１１１を配置する際にステンレスメッシュ５等の縁部５ａが邪魔になる場合には、適当な位置に切り込みや切り欠き等を入れておけばよい。
【００７９】
なお、上下２段の合成樹脂発泡板２の間にステンレスメッシュ５等のシート材が介在していればよいので、シート材を横断面コ字状にしておかなくてもよいが、この実施形態のように横断面コ字状等にしておけば、上段の合成樹脂発泡板２への白アリ３の侵入をより確実に防止できるという利点がある。また、下段の合成樹脂発泡板２の高さ、即ち、ステンレスメッシュ５等の水平部分の位置は、地盤１１２中から上段の合成樹脂発泡板２への白アリ３の侵入を防止するために、図３３のように地盤面１１２ａよりも高くなるようにしておくのが望ましい。
【００８６】
【発明の効果】
以上のように、請求項１の発明によれば、合成樹脂発泡板の上端面に前記シート材を介して更に合成樹脂発泡板の下端面を取付けているので、施工の手間を省けるという利点がある。また、前記シート材が複数のアンカー孔を有するので、アンカー効果により合成樹脂発泡板とシート材とをより強固に一体化できるという利点がある。
【００８７】
請求項２の発明によれば、前記シート材の縁部の少なくとも一部が合成樹脂発泡板から突出しているので、防蟻用断熱板の周囲に生じる隙間等を閉塞することができ、そのため白アリの侵入をより効果的に防止できるという利点がある。
【００８９】
請求項３の発明によれば、前記シート材が可撓性を有するので、このシート材を取扱い易く、そのため防蟻用断熱板をより簡単に製造できるという利点がある。
【００９１】
請求項４の発明によれば、前記シート材に、少なくともセメントと細骨材とを含有する表面材が塗布されているので、前記細骨材等により白アリの侵入を防止することができる。また、前記アンカー孔が、前記白アリの頭部横断面の最大寸法の３倍以下の寸法であり、アンカー孔の寸法を比較的大きくできるので、シート材の材料コストを低減化できると共に、寸法精度も低くてよいために製造も簡単であるという利点がある。
【００９２】
請求項５の発明によれば、前記表面材にポリマーを添加しているので、表面材の強度、耐クラック性、接着性、水密性、耐摩耗性等が向上するという利点がある。
【００９３】
請求項６の発明によれば、前記表面材に白アリ忌避剤を添加しているので、この表面材が白アリによって噛み破られる可能性をより低下させることができるという利点がある。
【００９４】
請求項７の発明によれば、前記アンカー孔が、前記白アリの頭部横断面の最大寸法の２倍以下の寸法、即ち、白アリの柔らかい体部等がアンカー孔に接触するような寸法であるので、白アリがそれを嫌い、そのためシート材から合成樹脂発泡板の内部へ白アリが侵入するのを防止することができる。また、アンカー孔の寸法を比較的大きくできるので、シート材の材料コストを低減化できると共に、寸法精度も低くてよいために製造も簡単であるという利点がある。
【００９５】
請求項８の発明によれば、前記シート材がメッシュ状部材からなるので、その繊維、フィラメント、又はストランド等の数を少なくでき、そのためコストダウンをより効果的に図ることができるという利点がある。
【００９６】
請求項９の発明によれば、前記合成樹脂発泡板にシート材が熱溶着され、合成樹脂発泡板のこの熱溶着部分が樹脂化してスキン層が形成されていると共に、このスキン層が前記アンカー孔内でそれぞれ外側に膨出しているので、スキン層の補強作用により全体の強度が向上すると共に、必要に応じてシート材に塗布されるモルタル等を、スキン層の膨出部分のアンカー効果によってより強固に係止できるという利点がある。
【００９７】
請求項１０の発明によれば、前記シート材が少なくとも約７０のショア硬度を有するので、白アリは確実にこのシート材を噛み砕くことができず、そのため白アリの侵入をより効果的に防止できるという利点がある。
【図面の簡単な説明】
【図１】第１実施形態に係る防蟻用断熱板の斜視図。
【図２】ステンレスメッシュの要部拡大平面図。
【図３】  (a) は白アリの平面図、(b) は(a) のＹ−Ｙ線断面図。
【図４】パンチングメタルの要部拡大平面図。
【図５】複数のシャーリング溝を形成した金属シートの要部拡大断面図。
【図６】図１の防蟻用断熱板の使用例を示す側面図。
【図７】図１の防蟻用断熱板の使用例を示す断面図。
【図８】合成樹脂発泡板とシート材とを熱溶着した場合の防蟻用断熱板の要部拡大断面図。
【図９】シート材に表面材を塗布した防蟻用断熱板の要部拡大断面図。
【図１０】防蟻用断熱板を連続的に製造する方法の一例を示す説明図。
【図１１】防蟻用断熱板を切り離す様子を示す平面図。
【図１２】防蟻用断熱板を連続的に製造する方法の他の例を示す説明図。
【図１３】図１の防蟻用断熱板の他の使用例を示す断面図。
【図１４】図１の防蟻用断熱板の他の使用例を示す断面図。
【図１５】図１の防蟻用断熱板の他の使用例を示す断面図。
【図１６】図１の防蟻用断熱板の他の使用例を示す断面図。
【図１７】第２実施形態に係る防蟻用断熱板の斜視図。
【図１８】図１７の防蟻用断熱板の使用例を示す断面図。
【図１９】第３実施形態に係る防蟻用断熱板の斜視図。
【図２０】図１９の防蟻用断熱板の使用例を示す断面図。
【図２１】第４実施形態に係る防蟻用断熱板の斜視図。
【図２２】図２１の防蟻用断熱板を縦横に敷設する様子を示す斜視図。
【図２３】図２１の防蟻用断熱板の使用例を示す断面図。
【図２４】合成樹脂発泡板の他側面に複数のＶ字溝を設けた防蟻用断熱板の要部拡大断面図。
【図２５】第５実施形態に係る防蟻用断熱板の斜視図。
【図２６】図２５の防蟻用断熱板の使用例を示す断面図。
【図２７】合成樹脂発泡板の一端面に嵌合部を設け、他端面に被嵌合部を設けた防蟻用断熱板の断面図。
【図２８】第６実施形態に係る防蟻用断熱板の斜視図。
【図２９】第７実施形態に係る防蟻用断熱板の斜視図。
【図３０】図２９の防蟻用断熱板の使用例を示す断面図。
【図３１】図２９の防蟻用断熱板と合成樹脂発泡板とを積層した防蟻用断熱板の斜視図。
【図３２】第８実施形態に係る防蟻用断熱板の斜視図。
【図３３】図３２の防蟻用断熱板の使用例を示す断面図。
【図３４】図３２の防蟻用断熱板と合成樹脂発泡板とを一体化した防蟻用断熱板の斜視図。
【符号の説明】
１，３１，４１，５１，６１，７１，８１，９１，１０１，１１１  防蟻用断熱板
２  合成樹脂発泡板
２ａ  一側面
２ｂ  他側面
３  白アリ
３ａ  頭部
４  編み目（アンカー孔）
５  ステンレスメッシュ（シート材）
５ａ  縁部
６  アンカー孔
７  パンチングメタル（シート材）
９  アンカー孔
１０  金属シート（シート材）
１１ａ  一端
１１ｂ  他端
１１ｃ  一端面
１１ｄ  他端面
１４ａ  上端
１４ｂ  下端
１４ｃ  上端面
１４ｄ  下端面
２１  表面材
５５  Ｖ字溝
６２  角部
６４  嵌合部
６５  被嵌合部
【図１】
0003721444.tif 000002
【図２】
0003721444.tif 000003
【図３】
0003721444.tif 000004
【図４】
0003721444.tif 000005
【図５】
0003721444.tif 000006
【図６】
0003721444.tif 000007
【図７】
0003721444.tif 000008
【図８】
0003721444.tif 000009
【図９】
0003721444.tif 000010
【図１０】
0003721444.tif 000011
【図１１】
0003721444.tif 000012
【図１２】
0003721444.tif 000013
【図１３】
0003721444.tif 000014
【図１４】
0003721444.tif 000015
【図１５】
0003721444.tif 000016
【図１６】
0003721444.tif 000017
【図１７】
0003721444.tif 000018
【図１８】
0003721444.tif 000019
【図１９】
0003721444.tif 000020
【図２０】
0003721444.tif 000021
【図２１】
0003721444.tif 000022
【図２２】
0003721444.tif 000023
【図２３】
0003721444.tif 000024
【図２４】
0003721444.tif 000025
【図２５】
0003721444.tif 000026
【図２６】
0003721444.tif 000027
【図２７】
0003721444.tif 000028
【図２８】
0003721444.tif 000029
【図２９】
0003721444.tif 000030
【図３０】
0003721444.tif 000031
【図３１】
0003721444.tif 000032
【図３２】
0003721444.tif 000033
【図３３】
0003721444.tif 000034
【図３４】
0003721444.tif 000035